(57)【要約】【課題】複数のセルを使用した通信の試験を行う場合に、セルの状態を容易に把握可能にする。【解決手段】移動体通信端末試験装置１０は、試験シナリオに従って、試験対象の移動体通信端末５０との間で複数のセルを用いた通信を行う場合の手順を制御するシナリオ処理部１６と、通信における階層化された通信プロトコルに関する処理を行うレイヤ処理部１３と、レイヤ処理部１３における処理のログ情報を含むログデータを生成するログデータ生成部１７と、試験シナリオのシナリオ情報又はログデータのログ情報を取得し、移動体通信端末５０と通信を行う複数のセルの状態を判定するセル状態判定部１９と、判定した複数のセルの状態の表示情報を処理し、表示部２１における経過時刻に応じたセル状態の表示制御を行う表示制御部２０と、を備える。【選択図】図１
2014216727.tif 000002
【特許請求の範囲】
【請求項１】
試験シナリオに従って、試験対象の移動体通信端末（５０）との間で複数のセルを用いた通信を行う場合の手順を制御するシナリオ処理部（１６）と、
前記通信における階層化された通信プロトコルに関する処理を行うレイヤ処理部（１３）と、
前記レイヤ処理部における処理のログ情報を含むログデータを生成するログデータ生成部（１７）と、
前記試験シナリオのシナリオ情報又は前記ログデータのログ情報を取得し、前記移動体通信端末と通信を行う複数のセルの状態を判定するセル状態判定部（１９）と、
前記判定した複数のセルの状態の表示情報を処理し、表示部（２１）における経過時刻に応じたセル状態の表示制御を行う表示制御部（２０）と、
を備える移動体通信端末試験装置。
【請求項２】
請求項１に記載の移動体通信端末試験装置であって、
前記セル状態判定部は、前記複数のセルの状態として、各セルのプライマリセル又はセカンダリセルの状態を判定し、
前記表示制御部は、前記判定したプライマリセル又はセカンダリセルの状態を識別表示する、移動体通信端末試験装置。
【請求項３】
請求項１又は２に記載の移動体通信端末試験装置であって、
前記セル状態判定部は、前記複数のセルの状態として、各セルのアクティベーション又はディアクティベーションの状態を判定し、
前記表示制御部は、前記判定したアクティベーション又はディアクティベーションの状態を識別表示する、移動体通信端末試験装置。
【請求項４】
請求項１に記載の移動体通信端末試験装置であって、
前記レイヤ処理部は、複数の基地局を模擬する処理を行い、
前記セル状態判定部は、異なる基地局間のハンドオーバの発生を判定し、
前記表示制御部は、前記判定したハンドオーバの状態を識別表示する、移動体通信端末試験装置。
【請求項５】
請求項４に記載の移動体通信端末試験装置であって、
前記表示制御部は、操作部（２２）からのハンドオーバ表示の指示操作に対応して、該当するハンドオーバに関するハンドオーバ処理時間を含むハンドオーバ表示を実行する、移動体通信端末試験装置。
【請求項６】
請求項１に記載の移動体通信端末試験装置であって、
前記セル状態判定部は、前記試験シナリオにおける実行時のシナリオ情報を取得し、試験前又は試験中の複数のセルの状態を、前記取得したシナリオ情報に基づいて判定する、移動体通信端末試験装置。
【請求項７】
請求項１に記載の移動体通信端末試験装置であって、
前記ログデータを記憶するログデータ記憶部（１８）を備え、
前記セル状態判定部は、前記記憶したログデータのログ情報を取得し、試験における所定時刻の複数のセルの状態を、前記取得したログ情報に基づいて判定する、移動体通信端末試験装置。
【請求項８】
請求項７に記載の移動体通信端末試験装置であって、
前記表示制御部は、前記複数のセルの状態表示とともに、操作部からのログ表示の指示操作に対応して、該当する時刻のログ情報を含むログ表示を実行する、移動体通信端末試験装置。
【請求項９】
試験シナリオに従って、試験対象の移動体通信端末との間で複数のセルを用いた通信を行う場合の手順を制御するシナリオ処理ステップと、
前記通信における階層化された通信プロトコルに関する処理を行うレイヤ処理ステップと、
前記レイヤ処理ステップにおける処理のログ情報を含むログデータを生成するログデータ生成ステップと、
前記試験シナリオのシナリオ情報又は前記ログデータのログ情報を取得し、前記移動体通信端末と通信を行う複数のセルの状態を判定するセル状態判定ステップと、
前記判定した複数のセルの状態の表示情報を処理し、表示部における経過時刻に応じたセル状態の表示制御を行う表示制御ステップと、
を有する移動体通信端末試験方法。
【発明の詳細な説明】
【技術分野】
【０００１】
本発明は、移動体通信端末の性能評価等の試験を行うため、移動体通信端末との間で通信を行い、通信時の状態等の各種情報を表示することが可能な移動体通信端末試験装置に関する。
【背景技術】
【０００２】
例えば携帯電話機に代表される移動体通信端末を開発するにあたり、開発中の移動体通信端末が設計通りに機能するか否か、及び通信規格に従って正常に動作するか否かを試験するために、移動体通信端末試験装置が用いられる。このような移動体通信端末試験装置は、移動体通信端末試験装置の動作シーケンス及び通信シーケンスが記述された試験シナリオを予め作成して記憶しておき、この試験シナリオに従って基地局を模擬した擬似基地局装置として動作する。そして、試験者（開発者が兼ねる場合もある）は、移動体通信端末試験装置を用いて、試験対象の移動体通信端末との間で通信を行い、通信時のログ情報を参照して移動体通信端末の動作状態及び移動体通信端末と基地局との間の通信状態を確認することにより、正常に通信できるかの試験を行う。移動体通信端末試験装置の例として、例えば特許文献１に開示されているものがある。
【先行技術文献】
【特許文献】
【０００３】
【特許文献１】特開２００９−１４７６４０号公報
【発明の概要】
【発明が解決しようとする課題】
【０００４】
近年、移動体通信規格では、通信レート向上のため、複数の通信帯域を束ねて通信を行う方式が検討されている。セルラー通信システム等の移動体通信システムでは、基地局がカバーする通信エリア、通信エリアにおける通信帯域（周波数帯域）等の単位を「セル」と称することがあり、以降では基地局と移動体通信端末との間において通信を行う通信帯域を「セル」と称することにする。
【０００５】
例えば、３ＧＰＰ（Third Generation Partnership Project）にて検討されている移動体通信規格であるＬＴＥ（Long Term Evolution）の次世代規格ＬＴＥ−Ａｄｖａｎｃｅｄでは、最大で５つのセルを使用するキャリアアグリゲーション（Carrier Aggregation）が規定されている。また、第３世代（３Ｇ）の移動体通信規格であるＷ−ＣＤＭＡ（Wideband Code Division Multiple Access）では、同時に２つのセルを使用するＤＣ−ＨＳＤＰＡ（Dual Cell High Speed Downlink Packet Access）が規定されている。
【０００６】
複数のセルを使用する通信方式では、通常は基地局と移動体通信端末間で１つのセルにて通信を行い、高い通信レートによって通信を行う場合に、他のセルを束ねて通信を行う。このような通信方式に対応した移動体通信端末を試験するためには、同時に複数のセルの信号を送受信して通信可能な移動体通信端末試験装置が必要とされる。
【０００７】
ところで、移動体通信端末試験装置は、設定によって様々な試験に対応できるように構成されている。そして、移動体通信端末試験装置において構成する複数のセルに対して、どのように動作させるかについても、設定によって動的に変化する。一方で、通信時のセルの状態は、移動体通信端末の動作に関連するため、試験中、或いは試験後に、試験者がセルの状態を確認したいという要望がある。
【０００８】
しかしながら、セルの状態を確認するには、移動体通信端末試験装置の設定及び試験手順が記述された試験シナリオの内容、或いは通信時のログ情報を解析して確認する必要があり、手間がかかって把握が困難であった。
【０００９】
本発明は、上記事情に鑑みてなされたものであって、複数のセルを使用した通信の試験を行う場合に、セルの状態を容易に把握可能にできる移動体通信端末試験装置及び移動体通信端末試験方法を提供することを目的としている。
【課題を解決するための手段】
【００１０】
第１の発明に係る移動体通信端末試験装置は、試験シナリオに従って、試験対象の移動体通信端末との間で複数のセルを用いた通信を行う場合の手順を制御するシナリオ処理部と、前記通信における階層化された通信プロトコルに関する処理を行うレイヤ処理部と、前記レイヤ処理部における処理のログ情報を含むログデータを生成するログデータ生成部と、前記試験シナリオのシナリオ情報又は前記ログデータのログ情報を取得し、前記移動体通信端末と通信を行う複数のセルの状態を判定するセル状態判定部と、前記判定した複数のセルの状態の表示情報を処理し、表示部における経過時刻に応じたセル状態の表示制御を行う表示制御部と、を備える。
上記構成により、複数のセルを使用した通信の試験を行う場合に、各セルの状態を容易に把握可能となる。
【００１１】
第２の発明に係る移動体通信端末試験装置は、上記第１の発明の移動体通信端末試験装置において、前記セル状態判定部は、前記複数のセルの状態として、各セルのプライマリセル又はセカンダリセルの状態を判定し、前記表示制御部は、前記判定したプライマリセル又はセカンダリセルの状態を識別表示する。
上記構成により、例えばＬＴＥ−Ａｄｖａｎｃｅｄの通信規格による通信において、プライマリセル又はセカンダリセルの状態を容易に把握可能となる。
【００１２】
第３の発明に係る移動体通信端末試験装置は、上記第１又は第２の発明の移動体通信端末試験装置において、前記セル状態判定部は、前記複数のセルの状態として、各セルのアクティベーション又はディアクティベーションの状態を判定し、前記表示制御部は、前記判定したアクティベーション又はディアクティベーションの状態を識別表示する。
上記構成により、例えばＬＴＥ−Ａｄｖａｎｃｅｄの通信規格による通信において、アクティベーション又はディアクティベーションの状態を容易に把握可能となる。特に、例えばセカンダリセルにおける通信量に応じたアクティベーション又はディアクティベーションの状態を容易に識別可能となる。
【００１３】
第４の発明に係る移動体通信端末試験装置は、上記第１の発明の移動体通信端末試験装置において、前記レイヤ処理部は、複数の基地局を模擬する処理を行い、前記セル状態判定部は、異なる基地局間のハンドオーバの発生を判定し、前記表示制御部は、前記判定したハンドオーバの状態を識別表示する。
上記構成により、例えばハンドオーバの発生有無、ハンドオーバの開始／終了、ハンドオーバ元及びハンドオーバ先のセルなど、複数セルにおけるハンドオーバの状態を容易に把握可能となる。
【００１４】
第５の発明に係る移動体通信端末試験装置は、上記第４の発明の移動体通信端末試験装置において、前記表示制御部は、操作部からのハンドオーバ表示の指示操作に対応して、該当するハンドオーバに関するハンドオーバ処理時間を含むハンドオーバ表示を実行する。
上記構成により、操作部によって指示したハンドオーバに関するハンドオーバ処理時間を容易に把握可能となる。
【００１５】
第６の発明に係る移動体通信端末試験装置は、上記第１の発明の移動体通信端末試験装置において、前記セル状態判定部は、前記試験シナリオにおける実行時のシナリオ情報を取得し、試験前又は試験中の複数のセルの状態を、前記取得したシナリオ情報に基づいて判定する。
上記構成により、取得したシナリオ情報に基づいて試験前又は試験中における複数のセルの状態を判定可能である。
【００１６】
第７の発明に係る移動体通信端末試験装置は、上記第１の発明の移動体通信端末試験装置において、前記ログデータを記憶するログデータ記憶部を備え、前記セル状態判定部は、前記記憶したログデータのログ情報を取得し、試験における所定時刻の複数のセルの状態を、前記取得したログ情報に基づいて判定する。
上記構成により、取得したログ情報に基づいて試験における所定時刻の複数のセルの状態を判定可能である。
【００１７】
第８の発明に係る移動体通信端末試験装置は、上記第７の発明の移動体通信端末試験装置において、前記表示制御部は、前記複数のセルの状態表示とともに、操作部からのログ表示の指示操作に対応して、該当する時刻のログ情報を含むログ表示を実行する。
上記構成により、操作部によって指示した時刻のログ情報を容易に確認可能となる。
【００１８】
第９の発明に係る移動体通信端末試験方法は、試験シナリオに従って、試験対象の移動体通信端末との間で複数のセルを用いた通信を行う場合の手順を制御するシナリオ処理ステップと、前記通信における階層化された通信プロトコルに関する処理を行うレイヤ処理ステップと、前記レイヤ処理ステップにおける処理のログ情報を含むログデータを生成するログデータ生成ステップと、前記試験シナリオのシナリオ情報又は前記ログデータのログ情報を取得し、前記移動体通信端末と通信を行う複数のセルの状態を判定するセル状態判定ステップと、前記判定した複数のセルの状態の表示情報を処理し、表示部における経過時刻に応じたセル状態の表示制御を行う表示制御ステップと、を有する。
上記手順により、複数のセルを使用した通信の試験を行う場合に、各セルの状態を容易に把握可能となる。
【発明の効果】
【００１９】
本発明によれば、複数のセルを使用した通信の試験を行う場合に、セルの状態を容易に把握可能にすることができる。
【図面の簡単な説明】
【００２０】
【図１】本発明の第１の実施形態に係る移動体通信端末試験装置の構成を示すブロック図
【図２】ログデータ生成部において作成されるログデータの例を示す図
【図３】表示部の表示画面に表示するログ表示の例を示す図
【図４】第１の実施形態における表示部に表示するセル状態表示の例を示す図
【図５】セカンダリセルの追加（Configuration）及び削除（Release）の判定に用いる情報の一例を示す図
【図６】セカンダリセルのアクティベーション（Activation）／ディアクティベーション（Deactivation）の切替時刻の判定に用いる情報の一例を示す図
【図７】セカンダリセルのアクティベーション（Activation）／ディアクティベーション（Deactivation）の状態確認の判定に用いる情報の一例として、ログ情報を示す図
【図８】本発明の第２の実施形態に係る移動体通信端末試験装置の構成を示すブロック図
【図９】第２の実施形態における表示部に表示するセル状態表示の例を示す図
【図１０】ハンドオーバの開始時刻の判定に用いる情報の一例を示す図
【図１１】ハンドオーバの終了時刻の判定に用いる情報の一例を示す図
【図１２】本実施形態における表示部に表示するセル状態表示の第１変形例を示す図
【図１３】本実施形態における表示部に表示するセル状態表示の第２変形例を示す図
【図１４】試験前の試験シナリオ確認に関する処理手順を示すフローチャート
【図１５】試験中のセル状態のリアルタイム表示に関する処理手順を示すフローチャート
【図１６】試験後のログ情報の確認及びセル状態表示に関する処理手順を示すフローチャート
【発明を実施するための形態】
【００２１】
以下、図面を参照して本発明の実施形態について説明する。
【００２２】
本発明の実施形態に係る移動体通信端末試験装置は、実網に成り代わる擬似基地局装置として機能し、移動体通信端末の動作状態確認、性能評価等の試験を行うものである。移動体通信端末試験装置は、試験対象の移動体通信端末との間で通信を行い、通信時のログ情報等を取得して記憶、表示が可能となっている。移動体通信端末としては、例えば、携帯電話機、スマートフォン、データ通信端末、各種携帯通信端末等、所定の通信規格に対応した通信を行う端末が用いられる。本実施形態では、試験対象の移動体通信端末として、ＬＴＥ−Ａｄｖａｎｃｅｄの通信規格による通信が可能な移動体通信端末を用いる場合を例示する。
【００２３】
（第１の実施形態）
＜第１の実施形態の構成＞
図１は、本発明の第１の実施形態に係る移動体通信端末試験装置の構成を示すブロック図である。
【００２４】
第１の実施形態の移動体通信端末試験装置１０は、移動体通信端末５０と接続され、移動体通信端末５０との間で通信を行って通信時のログ情報を含む通信情報を取得する。移動体通信端末試験装置１０と移動体通信端末５０とは、例えば、同軸ケーブル等の有線の伝送路によって接続される。
【００２５】
移動体通信端末試験装置１０は、結合器１１、送受信部１２−１〜１２−５、レイヤ処理部１３、ＴＥ（Terminal Equipment）部１４、メッセージ処理部１５、シナリオ処理部１６、ログデータ生成部１７、ログデータ記憶部１８、セル状態判定部１９、表示制御部２０、表示部２１、及び操作部２２を備える。
【００２６】
第１の実施形態では、移動体通信端末試験装置１０において複数のセルを有する１つの基地局の動作を模擬し、試験対象の移動体通信端末５０との間で複数のセルを利用して通信を行う場合の構成を示す。
【００２７】
結合器（カプラ）１１は、試験対象の移動体通信端末５０と送受信部１２−１〜１２−５とを接続する回路素子である。結合器１１は、送受信部１２−１〜１２−５から出力される送信信号を移動体通信端末５０へ通過させるとともに、移動体通信端末５０から入力される受信信号を送受信部１２−１〜１２−５へ通過させる。
【００２８】
送受信部１２−１〜１２−５は、ＲＦ（Radio Frequency）部とベースバンド部とを含む送受信回路を有し、通信信号の送受及び変復調を行い、ＲＦ帯域の信号の通信を行う。具体的には、送受信部１２−１〜１２−５は、レイヤ処理部１３の出力信号からベースバンド帯域の送信信号を生成し、ＲＦ帯域へ周波数変換し、電力増幅して結合器１１を介して移動体通信端末５０へ送信する。また、送受信部１２−１〜１２−５は、移動体通信端末５０から送信され結合器１１を介して受信したＲＦ帯域の信号を、ベースバンド帯域へ周波数変換して受信信号として取得し、レイヤ処理部１３へ入力する。本実施形態では、最大５つの複数セルによる通信が可能なように、５つの送受信部１２−１〜１２−５を備える例を示している。
【００２９】
なお、移動体通信端末試験装置１０と移動体通信端末５０とを無線伝送路にて接続し、無線電波によって移動体通信端末試験装置１０と移動体通信端末５０との間で通信を行ってもよい。また、送受信部１２−１〜１２−５においてＲＦ部を省略又は通過させ、ベースバンド帯域の信号によって移動体通信端末試験装置１０と移動体通信端末５０との間で通信を行ってもよい。
【００３０】
レイヤ処理部１３は、所定の通信プロトコルに基づく信号処理を行うもので、複数の階層（レイヤ）を持つレイヤ構成の通信プロトコル群の処理を実行する。レイヤ処理部１３は、ＰＨＹ（Physical Layer：物理層）部３１−１〜３１−５、ＭＡＣ（Media Access Control Layer：媒体アクセス制御層）部３２、ＲＬＣ（Radio Link Control Layer：無線リンク制御層）部３３、ＰＤＣＰ（Packet Data Convergence Protocol Layer：パケット・データ収斂プロトコル層）部３４、ＲＲＣ（Radio Resource Control Layer：無線リソース制御層）部３５を有する。
【００３１】
このレイヤ処理部１３では、各レイヤ間が連携動作し、通信方式に従ったプロトコルによる情報の送受を制御するとともに、通信シーケンス及び通信内容をログ情報として抽出する。また、レイヤ処理部１３は、通信におけるエラー情報（又は、各レイヤの状態を示す情報）の検出も行う。レイヤ処理部１３にて取得したログ情報及びエラー情報は、ログデータ生成部１７に入力される。
【００３２】
ＴＥ部１４は、例えば、メールサーバ又は動画サーバ等のサーバ、テレビ電話端末等のデータ端末など、端末機能を有するものである。ＴＥ部１４は、各種アプリケーションを実行する端末装置として動作し、移動体通信端末５０との間でデータの送受信を行う。
【００３３】
メッセージ処理部１５は、移動体通信端末試験装置１０と移動体通信端末５０との間でやり取りされる各種メッセージを処理する。メッセージ処理部１５は、シナリオ処理部１６からの試験シナリオに基づく指示に従って、移動体通信端末５０へ送信する要求メッセージを作成し、レイヤ処理部１３へ出力する。また、メッセージ処理部１５は、移動体通信端末５０から受信しレイヤ処理部１３にて復号した応答メッセージを取得してシナリオ処理部１６に通知する。
【００３４】
シナリオ処理部１６は、移動体通信端末試験装置１０の設定及び試験手順が記述された試験シナリオを保持し、試験シナリオに従って試験の各手順を実行するべく各部を指示する。すなわち、シナリオ処理部１６は、移動体通信端末試験装置１０の動作を司る制御部としての機能を有する。なお、シナリオ処理部１６と各部との接続について、図を簡略にするため、図１では一部の記載を省略している。試験シナリオは、実行しようとする試験における移動体通信端末試験装置の設定、動作シーケンス及び通信シーケンス等の試験手順が記述されたものである。
【００３５】
シナリオ処理部１６は、試験シナリオに基づいてメッセージ処理部１５へ要求メッセージの作成指示を送る。また、シナリオ処理部１６は、試験シナリオに従って実行する各手順の情報をログデータ生成部１７へ出力する。また、シナリオ処理部１６は、試験シナリオに従って現在実行中の試験手順に関する状態として、例えばセルの状態に関するシナリオ情報を、セル状態判定部１９へ出力する。
【００３６】
ログデータ生成部１７は、試験の各手順における記録として、レイヤ処理部１３における各レイヤの処理ごとにログ情報及びエラー情報を含むログデータを生成する。ログデータ生成部１７は、時刻情報を生成する時刻生成部１７１とＩＤ（Identification）情報を生成するＩＤ生成部１７２とを有する。ログデータ生成部１７では、図１中の破線楕円及び矢印線にて示すように、レイヤ処理部１３における各レイヤ間の処理内容を含む情報を入力し、ログ情報及びエラー情報とＩＤ情報及び時刻情報とを紐付けたログデータを生成する。図１において、（１）〜（５）は、ＰＨＹ部３１−１〜３１−５とＭＡＣ部３２との間の処理内容を含む情報がログデータ生成部１７に入力される各経路の対応を示している。
【００３７】
ログデータ記憶部１８は、ログデータ生成部１７にて生成したログデータを記憶する。また、ログデータ記憶部１８は、試験シナリオに従って実行した試験手順に関する状態として、例えばセルの状態に関するログ情報を読み出し、セル状態判定部１９へ出力する。また、ログデータ記憶部１８は、特定の時刻、ＩＤ、メッセージ内容、エラー内容など、特定の条件に該当するログ情報を読み出し、表示制御部２０へ出力する。
【００３８】
セル状態判定部１９は、移動体通信端末５０と通信を行うセルの状態として、セル１〜セル５の５つの各セルのアクティベーション等の状態を判定するセル判定部１９１−１〜１９１−５と、複数セル間で行われるハンドオーバ（Handover）の状態を判定するハンドオーバ判定部１９２とを有する。セル状態判定部１９は、シナリオ処理部１６からのシナリオ情報又はログデータ記憶部１８からのログ情報に基づき、試験時のセルの状態に関する情報を取得し、複数のセルのそれぞれのセル状態を判定する。
【００３９】
セル状態としては、各セルにおいて、アクティベーション／ディアクティベーションの状態、キャリアアグリゲーションによる複数セルを束ねた通信を行う場合のプライマリセル／セカンダリセルの状態、基地局種別、ハンドオーバの発生／終了の状態、などが含まれる。
【００４０】
表示制御部２０は、移動体通信端末試験装置１０の表示制御を行うものであり、操作部２２からの操作指示を入力し、操作指示に従って表示情報の生成処理を行い、表示情報を表示部２１へ出力する。表示制御部２０は、ログの表示情報を処理するログ表示処理部２０１と、セル状態の表示情報を処理するセル状態表示処理部２０２とを有する。ログ表示としては、例えば特定の時刻期間のログ情報、特定のメッセージを含むログ情報など、試験者が視認したい目的のログ情報を含むテキスト情報を、操作指示に応じて表示する。セル状態表示としては、各セルの状態を目視にて容易に判別可能なように、色、模様、図形等にて区別可能に表現したグラフィック情報を、操作指示に応じて表示する。
【００４１】
表示部２１は、例えば液晶ディスプレイ等を有して構成され、表示画面において、ログ又はセル状態の表示、ログ及びセル状態の同時表示、装置の動作状態の表示、装置の設定状態の表示など、移動体通信端末試験装置１０に関する各種表示を行う。
【００４２】
操作部２２は、ボタン、スイッチ、タッチパネル等の各種操作入力デバイスの少なくともいずれか一つを有し、試験者の操作に対応する操作指示の入力を表示制御部２０等の該当する処理部へ通知する。
【００４３】
図１において、レイヤ処理部１３、ＴＥ部１４、メッセージ処理部１５、シナリオ処理部１６、ログデータ生成部１７、ログデータ記憶部１８、セル状態判定部１９、及び表示制御部２０は、プロセッサ及びメモリを有する情報処理回路又はコンピュータによって構成され、各部の機能を実現する。
【００４４】
＜ログデータの内容＞
ここで、ログ情報を含むログデータについて説明する。図２は、ログデータ生成部１７において作成されるログデータの例を示す図である。
【００４５】
ログデータ６０は、ヘッダ６１と、レイヤ間通信データ６２とを有する。ヘッダ６１は、ＩＤ７１、時刻情報７２、送信元レイヤ７３、宛先レイヤ７４、チャネル情報７５、ＢＴＳ番号７６、プリミティブ名７７、通信データ長７８を有する。レイヤ間通信データ６２は、各レイヤ間にてやり取りされる生データである。
【００４６】
ＩＤ７１は、ログデータ６０の識別情報であり、時系列に付与した数字などが用いられる。時刻情報７２は、ログデータ６０が取得された時刻を示す情報である。送信元レイヤ７３は、レイヤ間通信データ６２の送信元レイヤを示す情報であり、宛先レイヤ７４は、レイヤ間通信データ６２の宛先レイヤを示す情報である。チャネル情報７５は、通信を行うチャネルを示す情報であり、チャネルごとに予め割り当てられた識別子、番号等により示される。ＢＴＳ（Base Transceiver Station：基地局）番号７６は、通信を行う基地局を示す識別情報であり、基地局ごとに予め割り当てられた番号により示される。プリミティブ名７７は、プリミティブ（Primitive）（レイヤ間の処理における設定命令等のコマンドの内容を示す型）の種類及び名称を示す情報である。通信データ長７８は、レイヤ間通信データ６２のデータ長を示す情報である。
【００４７】
続いて、ログ情報の表示（ログ表示）について説明する。図３は、表示部２１の表示画面に表示するログ表示の例を示す図である。
【００４８】
表示制御部２０のログ表示処理部２０１は、ログデータ記憶部１８から表示対象のログデータを読み出し、ログ表示のための表示情報を作成し、表示部２１に出力する。これにより、表示部２１の表示画面には、図３に例示するようなログ表示８０が表示される。
【００４９】
ログ表示８０は、ログ番号表示（No.）８１、レイヤ表示（PHY,MAC,RLC,PDCP,RRC/TE）８２、プリミティブ種別表示（Primitive）８３、ＢＴＳ番号表示（BTS）８４、チャネル情報表示（Channel）８５、メッセージ名表示（Message）８６、時刻情報表示（Progress Time）８７を有する。
【００５０】
ログ表示８０の上部には、各処理のログが時刻情報表示８７の時刻順に時系列にテーブル状に表示される。ログ表示８０の下部には、試験者等によって選択されハイライト表示された指定ログのデータ内容を示す内容表示８８が表示される。内容表示８８の下端部には、１６進数の値で表した実データが表示される。
【００５１】
ログ番号表示８１は、ログデータ６０のＩＤ７１に基づき、各処理のログを識別するための番号によるＩＤ情報を示す情報表示である。レイヤ表示８２は、ログデータ６０の送信元レイヤ７３及び宛先レイヤ７４に基づき、レイヤ処理部１３におけるプリミティブの情報の流れ（送信元と宛先のレイヤ）を矢印線によって示す情報表示である。プリミティブ種別表示８３は、ログデータ６０のプリミティブ名７７に基づき、プリミティブの種類及び名称を示す情報表示である。
【００５２】
ＢＴＳ番号表示８４は、ログデータ６０のＢＴＳ番号７６に基づき、通信を行う基地局の番号を示す情報表示である。チャネル情報表示８５は、ログデータ６０のチャネル情報７５に基づき、通信を行うチャネルを示す情報表示である。メッセージ名表示８６は、ログデータ６０のレイヤ間通信データ６２内のメッセージの記述情報に基づき、レイヤ間で送受されるメッセージの名称を示す情報表示である。なお、メッセージ名表示８６は、ログによっては表示が省略される。時刻情報表示８７は、ログデータ６０の時刻情報７２に基づき、各処理のデータ送受がなされた時刻を示す情報表示である。
【００５３】
図３に示したログ表示８０の第１行の例（番号「001」のログ情報）は、時刻「000.01.13.750」に、１番の基地局から移動体通信端末へのデータとして、「LTE#DL#DTCH 0」（Downlink（下り）のDedicate Traffic channelの０番）のチャンネルにおいて、ＲＲＣ部３５からＰＤＣＰ部３４へ、「LTE#PDCP#DATA#REQ」（ＰＤＣＰへのデータ要求）のプリミティブの処理が実行され、「RRC Connection Reconfiguration」（ＲＲＣのコネクションの再定義）のメッセージが伝送されたことを表している。
【００５４】
＜第１の実施形態の動作（セル状態表示）＞
次に、第１の実施形態におけるセル状態の表示（セル状態表示）について説明する。
【００５５】
図４は、第１の実施形態における表示部２１に表示するセル状態表示の例を示す図である。図４では、キャリアアグリゲーションによる最大５つのセルを利用した通信が可能であり、通信量に応じて複数セルを束ねて通信を行う場合を例示している。ここでは、移動体通信端末試験装置１０が１つの基地局ａの動作を模擬し、試験対象の移動体通信端末５０との間で通信を行う場合を説明する。
【００５６】
試験の実行中にセル状態表示を行う場合、セル状態判定部１９は、シナリオ処理部１６からシナリオ情報を取得し、セル判定部１９１−１〜１９１−５によって、試験シナリオ中のセルの状態に関する情報からセル状態を判定する。
【００５７】
また、試験の終了後にセル状態表示を行う場合、セル状態判定部１９は、ログデータ記憶部１８からログ情報を取得し、シナリオ情報と同様にして、セル判定部１９１−１〜１９１−５によって、ログ情報中のセルの状態に関する情報からセル状態を判定する。
【００５８】
この際、セル状態判定部１９は、複数のセルのそれぞれのセル状態について、セル１〜セル５の各セルのアクティベーション／ディアクティベーションの状態、及び、アクティベーション状態のセルのプライマリセル／セカンダリセルの状態を判定する。セル状態の判定の詳細については後述する。
【００５９】
表示制御部２０のセル状態表示処理部２０２は、セル状態判定部１９によるセル状態の判定結果情報と、セル状態判定に用いたシナリオ情報又はログ情報とを取得し、セル状態表示のための表示情報を作成し、表示部２１に出力する。これにより、表示部２１の表示画面には、図４に例示するようなセル状態表示９０が表示される。
【００６０】
セル状態表示９０は、セル番号表示（Cell No.）９１、状態表示９２を有する。セル番号表示９１は、１番〜５番に予め割り当てられた各セルのＩＤ情報（セル番号）を示す情報表示である。状態表示９２は、１番〜５番の各セル（セル１〜セル５）について、セルの状態を識別可能に示す情報表示であり、図中縦方向に並列させて複数セルが示されている。図示例では、プライマリセルでアクティベーション状態の場合は「Ｐ」、セカンダリセルでディアクティベーション状態の場合は「Ｄ」、セカンダリセルでアクティベーション状態の場合は「Ｓ１」〜「Ｓ４」によって示している。なお、「Ｐａ」「Ｓａ１」などの小文字の「ａ」は、基地局ａにおける通信状態であることを示している。
【００６１】
図４において、横方向は時刻を表し、図中左から右に時刻の経過に伴うセル状態の変化が示されている。
【００６２】
以下、時刻ａ〜ｇの各時刻のセル状態について説明する。
【００６３】
時刻ａでは、移動体通信端末５０と移動体通信端末試験装置１０とが通信していない状態である。このとき、移動体通信端末５０は、未動作又は位置登録完了状態となっている。
【００６４】
時刻ｂでは、移動体通信端末試験装置１０による模擬基地局において、セル１が基地局ａのプライマリセルとして設定されてアクティベーションとなり、セル１によって移動体通信端末５０と通信を開始する（セル１…「Ｐａ」）。また、セル２〜５は、基地局ａのセカンダリセルとして、ディアクティベーションに設定される（セル２〜５…「Ｄ」）。プライマリセルは、制御信号を送受するため、通信確立時は常にアクティベーション状態となる。
【００６５】
時刻ｃでは、移動体通信端末５０と移動体通信端末試験装置１０の基地局ａとの通信量が増大し、セル２が基地局ａの第１のセカンダリセルとして設定されてアクティベーションとなり、セル１とセル２によって移動体通信端末５０と通信する（セル２…「Ｄ」→「Ｓａ１」）。
【００６６】
時刻ｄでは、移動体通信端末５０と移動体通信端末試験装置１０の基地局ａとの通信量がさらに増大し、セル４及び５が基地局ａの第２、第３のセカンダリセルとして設定されてアクティベーションとなり、セル１、セル２、セル４及びセル５によって移動体通信端末５０と通信する（セル４…「Ｄ」→「Ｓａ２」、セル５…「Ｄ」→「Ｓａ３」）。
【００６７】
時刻ｅでは、移動体通信端末５０と移動体通信端末試験装置１０の基地局ａとの通信量がさらに増大し、セル３が基地局ａの第４のセカンダリセルとして設定されてアクティベーションとなり、セル１〜５によって移動体通信端末５０と通信する（セル３…「Ｄ」→「Ｓａ４」）。
【００６８】
時刻ｆでは、移動体通信端末５０と移動体通信端末試験装置１０の基地局ａとの通信量が減少し、セル３が移動体通信端末５０との通信を停止してディアクティベーション状態となる（セル３…「Ｓａ４」→「Ｄ」）。
【００６９】
時刻ｇでは、移動体通信端末５０と移動体通信端末試験装置１０の基地局ａとの通信量がさらに減少し、セル２、４及び５が移動体通信端末５０との通信を停止してディアクティベーション状態となる（セル５…「Ｓａ３」→「Ｄ」、セル４…「Ｓａ２」→「Ｄ」、セル２…「Ｓａ１」→「Ｄ」）。これにより、セル１がプライマリセルとしてアクティベーション状態を継続し、他のセル２〜５によるセカンダリセルはディアクティベーション状態になる。
【００７０】
＜第１の実施形態のセル状態判定処理の第１例＞
ここで、第１の実施形態において、セル状態判定部１９によるセル状態判定処理の第１例として、キャリアアグリゲーションにおけるセカンダリセルのアクティベーション／ディアクティベーションの判定方法について説明する。
【００７１】
図５は、セカンダリセルの追加（Configuration）及び削除（Release）の判定に用いる情報の一例を示す図であり、（Ａ）はログ情報、（Ｂ）はシナリオ情報を示している。図５（Ａ）（Ｂ）に示すログ情報及びシナリオ情報は、図４の時刻ｂにおけるセカンダリセルの設定等に用いられる。
【００７２】
ログ情報を取得してセル状態判定を行う場合、セル状態判定部１９は、まず、ログデータ６０からメッセージ名が「RRC Connection Reconfiguration」であるログを検索する。図５（Ａ）の例では、番号「44947」のログが該当する。次に、セル状態判定部１９は、検索により抽出された該当するログ情報の内容を解析し、パラメータに「sCell To Add Mod List」（セル追加に関するパラメータ）又は「sCell To Release List」（セル削除に関するパラメータ）が含まれているかを確認する。
【００７３】
続いて、セル状態判定部１９は、上記パラメータが含まれている場合、さらにパラメータの「sCell Index」の値を確認して、対象のセル、すなわち移動体通信端末試験装置１０にて模擬している５つのセル（ＰＨＹ部３１−１〜３１−５）のどれかを特定する。そして、セル状態判定部１９は、ログデータ６０のうち該当するログの時刻情報７２によってタイムスタンプを取得し、セカンダリセルの追加又は削除の時刻とする。図５（Ａ）の例では、時刻「00:00:11.174」である。
【００７４】
シナリオ情報を取得してセル状態判定を行う場合、セル状態判定部１９は、まず、試験シナリオの内容について、メッセージ名が「RRC Connection Reconfiguration」であるメッセージの送信命令の有無を監視する。次に、セル状態判定部１９は、監視により抽出された該当するメッセージの内容を解析し、パラメータに「sCell To Add Mod List」又は「sCell To Release List」が含まれているかを確認する。図５（Ｂ）の例では、メッセージの内容が１６進数の値で示されており、５バイト目の「0x1C」が「sCell To Add Mod List」の値を含んでいる。
【００７５】
続いて、セル状態判定部１９は、上記パラメータが含まれている場合、さらにパラメータの「sCell Index」の値を確認して、対象のセル、すなわち移動体通信端末試験装置１０にて模擬している５つのセル（ＰＨＹ部３１−１〜３１−５）のどれかを特定する。そして、セル状態判定部１９は、試験シナリオにおいて該当する箇所が実行された時刻を、セカンダリセルの追加又は削除の時刻とする。
【００７６】
＜第１の実施形態のセル状態判定処理の第２例＞
次に、セル状態判定部１９によるセル状態判定処理の第２例として、アクティベーション／ディアクティベーションの切替時刻の判定方法について説明する。
【００７７】
図６は、セカンダリセルのアクティベーション（Activation）／ディアクティベーション（Deactivation）の切替時刻の判定に用いる情報の一例を示す図であり、（Ａ）はログ情報、（Ｂ）はシナリオ情報を示している。図６（Ａ）（Ｂ）に示すログ情報及びシナリオ情報は、図４の時刻ｃ、ｇ等におけるセカンダリセルのアクティベーション／ディアクティベーションの設定切替等に用いられる。
【００７８】
ログ情報を取得してセル状態判定を行う場合、セル状態判定部１９は、まず、ログデータ６０からプリミティブ名が「LTE#CMAC#CONTROL#REQ」であるログを検索する。図６（Ａ）の例では、番号「45097」のログが該当する。この場合、アクティベーション／ディアクティベーションの切り替えを意味する「Activation/Deactivation MAC control elements」の送信指示として、「LTE#CMAC#CONTROL#REQ」のプリミティブが用いられる。
【００７９】
次に、セル状態判定部１９は、検索により抽出された該当するログ情報の内容を解析し、パラメータの「Status」の値を確認して、各セルの状態（Activation/Deactivation）を特定する。ここで、列記された 「Status」の値の記載順は、前述した「sCell Index」の値（つまり各セルの識別番号）の順序に対応している。そして、セル状態判定部１９は、ログデータ６０のうち該当するログの時刻情報７２によってタイムスタンプを取得し、セカンダリセルのアクティベーション／ディアクティベーションの切替の時刻とする。図６（Ａ）の例では、時刻「00:00:11.206」である。
【００８０】
シナリオ情報を取得してセル状態判定を行う場合、セル状態判定部１９は、まず、試験シナリオの内容について、プリミティブ名が「LTE#CMAC#CONTROL#REQ」であるプリミティブの送信命令の有無を監視する。
【００８１】
次に、セル状態判定部１９は、監視により抽出された該当するメッセージの内容を解析し、パラメータの「param.Status[x]」の値を確認して、各セルの状態（Activation/Deactivation）を特定する。ここで、[x]は、前述した「sCell Index」の値に対応している。そして、セル状態判定部１９は、試験シナリオにおいて該当する箇所が実行された時刻を、セカンダリセルのアクティベーション／ディアクティベーションの切替の時刻とする。
【００８２】
なお、上述した手法の代わりに、「Activation/Deactivation MAC control elements」の情報が含まれるログ情報やシナリオ情報を直接的に検索または監視する手法を用いてもよい。
【００８３】
＜第１の実施形態のセル状態判定処理の第３例＞
次に、セル状態判定部１９によるセル状態判定処理の第３例として、セカンダリセルのアクティベーション／ディアクティベーションの状態確認の判定方法について説明する。
【００８４】
図７は、セカンダリセルのアクティベーション（Activation）／ディアクティベーション（Deactivation）の状態確認の判定に用いる情報の一例として、ログ情報を示す図である。第３例は、ログ情報によるセルの状態確認方法の他の例として、移動体通信端末試験装置１０の内部状態を示す情報を判定する例である。
【００８５】
セル状態判定部１９は、まず、ログデータ６０において、プリミティブ名が「LTE#CPHY#DL#REPORT#IND」であってステータス（Status）に「LTE-MAC-STATE-CELL-ACTIVATED」を含むログを検索する。図７の例では、番号「45196」のログが該当する。次に、セル状態判定部１９は、検索により抽出された該当するログ情報の内容を解析し、「LTE-MAC-STATE-CELL-ACTIVATED」の値を確認して、「ON/OFF」により各セルの状態（Activation/Deactivation）を特定する。なお、「LTE#CPHY#DL#REPORT#IND」は、移動体通信端末試験装置１０の固有のプリミティブであり、ダウンリンクのステータスのレポートを意味する。また、「LTE-MAC-STATE-CELL-ACTIVATED」は、セルのアクティベーション／ディアクティベーションの状態を示す情報であって、その値が「ＯＮ」の場合はアクティベーション、「ＯＦＦ」の場合はディアクティベーションを示す。
【００８６】
この場合、プライマリセル／セカンダリセルの判定は、ＢＴＳ番号「1 or 2」と、オプション領域（Option）の「Primary Cell」の値によって識別して判定する。図７の例では、「Primary Cell」の値が「LTE-BTS1」であるので、ＢＴＳ番号「2」はセカンダリセルであると判定できる。
【００８７】
なお、上述した手法の代わりに、「LTE-MAC-STATE-CELL-ACTIVATED」の情報が含まれるログ情報やシナリオ情報を直接的に検索または監視する手法を用いてもよい。
【００８８】
本実施形態では、図４の例に示したように、経過時刻に応じて、複数セルのそれぞれのセル状態を表示することによって、同時に複数のセルを使用して通信を行う場合であっても、試験中、或いは試験後に、試験者がセル状態表示を視認することにより容易にセルの状態を確認できる。この際、通信可能な複数のセルについて、プライマリセル／セカンダリセルの識別、セカンダリセルのアクティベーション／ディアクティベーションの状態など、セルの各種状態を、セル状態表示のグラフィック情報により直感的に把握できる。
【００８９】
（第２の実施形態）
＜第２の実施形態の構成＞
図８は、本発明の第２の実施形態に係る移動体通信端末試験装置の構成を示すブロック図である。
【００９０】
第２の実施形態では、移動体通信端末試験装置１０Ａにおいて２つの基地局の動作を模擬し、複数の基地局間のハンドオーバを行う場合の構成を示す。本実施形態におけるハンドオーバは、異なる基地局のセル間での通信の受け渡しの処理、特に基地局間でのプライマリセルの切り替えを想定する。
【００９１】
第２の実施形態の移動体通信端末試験装置１０Ａは、結合器１１、送受信部１２−１〜１２−５、レイヤ処理部１３Ａ、１３Ｂ、ＴＥ部１４、メッセージ処理部１５Ａ、１５Ｂ、シナリオ処理部１６、ログデータ生成部１７、ログデータ記憶部１８、セル状態判定部１９、表示制御部２０、表示部２１、及び操作部２２を備える。なお、第１の実施形態と同様の構成要素には同一符号を付して説明を省略し、異なる部分を中心に説明する。
【００９２】
移動体通信端末試験装置１０Ａは、２つの基地局ａ、ｂの動作を模擬するために、第１の実施形態とは内部設定を変更し、２系統のレイヤ処理部１３Ａ、１３Ｂとメッセージ処理部１５Ａ、１５Ｂを備える。すなわち、図１におけるレイヤ処理部１３、メッセージ処理部１５、シナリオ処理部１６、及びセル状態判定部１９の機能を一部変更した例である。
【００９３】
レイヤ処理部１３Ａは、ＰＨＹ部３１−１、ＭＡＣ部３２−１、ＲＬＣ部３３−１、ＰＤＣＰ部３４−１、ＲＲＣ部３５−１を有し、レイヤ処理部１３Ｂは、ＰＨＹ部３１−２〜３１−５、ＭＡＣ部３２−２、ＲＬＣ部３３−２、ＰＤＣＰ部３４−２、ＲＲＣ部３５−２を有する。
【００９４】
メッセージ処理部１５Ａ、１５Ｂは、それぞれのレイヤ処理部１３Ａ、１３Ｂによって移動体通信端末５０との間でやり取りされる各種メッセージを処理する。ここで、メッセージ処理部１５Ａは、第１の基地局ａにおける１つのセルによる通信に関する、要求メッセージの作成、及び応答メッセージの取得を行う。また、メッセージ処理部１５Ｂは、第２の基地局ｂにおける４つのセルによる通信に関する、要求メッセージの作成、及び応答メッセージの取得を行う。
【００９５】
シナリオ処理部１６は、移動体通信端末試験装置１０の設定及び試験手順が記述された試験シナリオに従って、基地局ａ、ｂ間のハンドオーバの手順を含む試験の実行を制御する。ログデータ生成部１７は、ハンドオーバの手順を含む試験のログ情報を含むログデータを生成し、ログデータ記憶部１８に記憶させる。
【００９６】
セル状態判定部１９は、セル状態判定として、ハンドオーバ判定部１９２によって、シナリオ処理部１６からのシナリオ情報又はログデータ記憶部１８からのログ情報に基づき、基地局ａのセルと基地局ｂのセルとの間のハンドオーバの発生／終了の状態を判定する。
【００９７】
表示制御部２０は、セル状態表示処理部２０２によって、ハンドオーバの状態表示を含むセル状態の表示情報を生成し、表示部２１に出力してセル状態表示を行う。
【００９８】
移動体通信端末５０は、周囲の複数の基地局の送信信号を受信し、各基地局の受信品質情報（Measurement Report）を取得している。現在通信中の基地局からの送信信号の受信品質が低下し、他の基地局へハンドオーバしようとする場合、移動体通信端末５０は基地局へハンドオーバ要求を送信する。ハンドオーバ要求を受信した基地局は、ハンドオーバの可否を判定し、ハンドオーバが可能な場合、ハンドオーバ先の他の基地局とハンドオーバ要求を受けた移動体通信端末５０とにハンドオーバ指示を送信する。その後、ハンドオーバ元及びハンドオーバ先の基地局と移動体通信端末５０との間でハンドオーバ処理を行い、移動体通信端末５０の通信相手の基地局との接続を切り替える。
【００９９】
＜第２の実施形態の動作（セル状態表示）＞
次に、第２の実施形態におけるセル状態の表示（セル状態表示）について説明する。
【０１００】
図９は、第２の実施形態における表示部２１に表示するセル状態表示の例を示す図である。図９では、複数の基地局において、キャリアアグリゲーションによる最大５つのセルを利用した通信が可能であり、基地局間でハンドオーバを行うとともに、通信量に応じて複数セルを束ねて通信を行う場合を例示している。ここでは、移動体通信端末試験装置１０Ａが２つの基地局ａ、ｂの動作を模擬し、基地局ａはセル１、基地局ｂはセル２〜５を使用し、基地局ａから基地局ｂへハンドオーバを行い、試験対象の移動体通信端末５０との間で通信を行う場合を説明する。
【０１０１】
セル状態判定部１９は、複数のセルのそれぞれのセル状態について、セル１〜セル５の各セルのアクティベーション／ディアクティベーションの状態、及び、アクティベーション状態のセルのプライマリセル／セカンダリセルの状態、ハンドオーバの発生／終了の状態を判定する。ハンドオーバに関するセル状態の判定の詳細については後述する。
【０１０２】
表示制御部２０のセル状態表示処理部２０２は、セル状態判定部１９によるセル状態の判定結果情報と、セル状態判定に用いたシナリオ情報又はログ情報とを取得し、セル状態表示のための表示情報を作成し、表示部２１に出力する。これにより、表示部２１の表示画面には、図９に例示するようなセル状態表示１００が表示される。
【０１０３】
セル状態表示１００は、セル番号表示（Cell No.）１０１、状態表示１０２、ハンドオーバ表示１０３、基地局表示１０４を有する。図９の状態表示１０２において、「Ｐａ」の小文字の「ａ」は基地局ａにおける通信状態を、「Ｄｂ」「Ｐｂ」「Ｓｂ１」などの小文字の「ｂ」は、基地局ｂにおける通信状態であることを示している。
【０１０４】
ハンドオーバ表示１０３は、ハンドオーバ元からハンドオーバ先への矢印の表示によって、ハンドオーバの発生点などのハンドオーバの実行状態を示す情報表示である。基地局表示（ＢＴＳ−ａ、ＢＴＳ−ｂ）１０４は、各セルが対応する基地局の種別を示す情報表示である。
【０１０５】
なお、セル状態としてのハンドオーバの状態表示は、試験者による操作部からのハンドオーバ表示の指示操作に対応して、ハンドオーバ表示を実行するようにしてもよい。
【０１０６】
図９において、図４と同様に、横方向は時刻を表し、図中左から右に時刻の経過に伴うセル状態の変化が示されている。
【０１０７】
以下、時刻ａ〜ｆの各時刻のセル状態について説明する。
【０１０８】
時刻ａでは、移動体通信端末試験装置１０Ａによる模擬基地局において、セル１が基地局ａのプライマリセルとして設定されてアクティベーションとなり、セル１によって移動体通信端末５０と通信を行っている状態である（セル１…「Ｐａ」）。
【０１０９】
時刻ｂでは、移動体通信端末試験装置１０Ａと移動体通信端末５０間の伝送路状態の変化により、ハンドオーバが発生して、移動体通信端末５０の通信先が基地局ａ（セル１）から基地局ｂ（セル３）に切り替わる。このとき、セル３が基地局ｂのプライマリセルとして設定されてアクティベーションとなり、セル３によって移動体通信端末５０と通信を開始する（セル３…「Ｐｂ」）。また、時刻ｂにおいてセル１からセル３へのハンドオーバ表示１０３が表示される。また、セル２、４、５は、基地局ｂのセカンダリセルとして、ディアクティベーションに設定される（セル２、４、５…「Ｄｂ」）。
【０１１０】
時刻ｃでは、移動体通信端末５０と移動体通信端末試験装置１０Ａの基地局ｂとの通信量が増大し、セル２が基地局ｂの第１のセカンダリセルとして設定されてアクティベーションとなり、セル３とセル２によって移動体通信端末５０と通信する（セル２…「Ｄｂ」→「Ｓｂ１」）。
【０１１１】
時刻ｄでは、移動体通信端末５０と移動体通信端末試験装置１０Ａの基地局ｂとの通信量がさらに増大し、セル４が基地局ｂの第２のセカンダリセルとして設定されてアクティベーションとなり、セル３、セル２、及びセル４によって移動体通信端末５０と通信する（セル４…「Ｄｂ」→「Ｓｂ２」）。
【０１１２】
時刻ｅでは、移動体通信端末５０と移動体通信端末試験装置１０Ａの基地局ｂとの通信量が減少し、セル２及び４が移動体通信端末５０との通信を停止してディアクティベーション状態となる（セル２…「Ｓｂ１」→「Ｄｂ」、セル４…「Ｓｂ２」→「Ｄｂ」）。
【０１１３】
時刻ｆでは、移動体通信端末５０と移動体通信端末試験装置１０Ａの基地局ｂとの接続が切断され、移動体通信端末５０が他に通信可能な基地局ａであるセル１に接続して通信する。このとき、セル１が基地局ａのプライマリセルとして設定されてアクティベーションとなり、セル１によって移動体通信端末５０と通信を開始する（セル１…「Ｐａ」）。この場合は、通信の切断及び再接続の処理であり、ハンドオーバ動作ではないため、ハンドオーバ表示１０３は表示しない。この通信切断の状態は、試験シナリオにおいて意図的に行う場合もあれば、移動体通信端末５０の不具合によって意図せずに発生する場合もある。
【０１１４】
＜第２の実施形態のセル状態判定処理の第１例＞
ここで、第２の実施形態において、セル状態判定部１９によるセル状態判定処理の第１例として、ハンドオーバの開始時刻の判定方法について説明する。
【０１１５】
図１０は、ハンドオーバの開始時刻の判定に用いる情報の一例を示す図であり、（Ａ）はログ情報、（Ｂ）はシナリオ情報を示している。図１０（Ａ）（Ｂ）に示すログ情報及びシナリオ情報は、図９の時刻ｂにおけるハンドオーバ実行時のコネクション再設定等に用いられる。
【０１１６】
ログ情報を取得してセル状態判定を行う場合、セル状態判定部１９は、まず、ログデータ６０からメッセージ名が「RRC Connection Reconfiguration」であるログを検索する。図１０（Ａ）の例では、番号「36670」のログが該当する。次に、セル状態判定部１９は、検索により抽出された該当するログ情報の内容を解析し、パラメータに「mobility Control Info」（端末制御に関するパラメータ）が含まれているかを確認する。なお、「mobility Control Info」のパラメータについて、値の確認は必ずしも必要ない。ハンドオーバ開始の設定では無く、パラメータの値が無い場合は、「mobility Control Info」のパラメータ自体が存在しないため、パラメータの有無の判定をすればよい。
【０１１７】
次に、セル状態判定部１９は、上記パラメータが含まれている場合、ログデータ６０のうち該当するログの時刻情報７２によってタイムスタンプを取得し、ハンドオーバの開始時刻とする。図１０（Ａ）の例では、時刻「00:00:09.097」である。
【０１１８】
シナリオ情報を取得してセル状態判定を行う場合、セル状態判定部１９は、まず、試験シナリオの内容について、メッセージ名が「RRC Connection Reconfiguration」であるメッセージの送信命令の有無を監視する。次に、セル状態判定部１９は、監視により抽出された該当するメッセージの内容を解析し、パラメータに「mobility Control Info」が含まれているかを確認する。図１０（Ｂ）の例では、メッセージの内容が１６進数の値で示されており、３バイト目の「0x07」が「mobility Control Info」の値を含んでいる。
【０１１９】
次に、セル状態判定部１９は、上記パラメータが含まれている場合、試験シナリオにおいて該当する箇所が実行された時刻を、ハンドオーバの開始時刻とする。
【０１２０】
＜第２の実施形態のセル状態判定処理の第２例＞
次に、セル状態判定部１９によるセル状態判定処理の第２例として、ハンドオーバの終了時刻の判定方法について説明する。
【０１２１】
図１１は、ハンドオーバの終了時刻の判定に用いる情報の一例を示す図であり、（Ａ）はログ情報、（Ｂ）はシナリオ情報を示している。図１１（Ａ）（Ｂ）に示すログ情報及びシナリオ情報は、図９の時刻ｂにおけるハンドオーバ実行時のコネクション再設定等に用いられる。
【０１２２】
ログ情報を取得してセル状態判定を行う場合、セル状態判定部１９は、まず、ログデータ６０からメッセージ名が「RRC Connection Reconfiguration Complete」であるログを検索する。図１１（Ａ）の例では、番号「44171」のログが該当する。
【０１２３】
次に、セル状態判定部１９は、検索により該当するメッセージが抽出された場合、ログデータ６０のうち該当するログの時刻情報７２によってタイムスタンプを取得し、ハンドオーバの終了時刻とする。図１１（Ａ）の例では、時刻「00:00:10.967」である。
【０１２４】
シナリオ情報を取得してセル状態判定を行う場合、セル状態判定部１９は、まず、試験シナリオの内容について、メッセージ名が「RRC Connection Reconfiguration Complete」であるメッセージの受信処理の有無を監視する。
【０１２５】
次に、セル状態判定部１９は、監視により該当するメッセージが抽出された場合、試験シナリオにおいて該当する受信処理が実行された時刻、又はこの受信処理の直後の送信命令の実行時刻を、ハンドオーバの終了時刻とする。
【０１２６】
なお、ハンドオーバの終了時刻の判定は、以下の他の判定方法によって行ってもよい。この場合、セル状態判定部１９は、メッセージ処理部１５からシナリオ処理部１６への通知において、メッセージ名が「RRC Connection Reconfiguration Complete」であるメッセージの受信通知の有無を監視する。そして、セル状態判定部１９は、監視により該当するメッセージが抽出された場合、その受信通知を受けた時刻を、ハンドオーバの終了時刻とする。
【０１２７】
本実施形態では、図９の例に示したように、経過時刻に応じて、複数セルのそれぞれのセル状態を表示し、ハンドオーバが発生した場合はハンドオーバ状態の表示をすることによって、同時に複数のセルを使用して通信を行う場合であっても、試験中、或いは試験後に、容易にハンドオーバの発生等の状態を試験者が確認できる。この際、ハンドオーバの開始／終了、ハンドオーバ元及びハンドオーバ先のセルなど、ハンドオーバに関するセル状態を、ハンドオーバ表示のグラフィック情報により直感的に把握できる。
【０１２８】
＜セル状態表示の第１変形例＞
次に、本実施形態におけるセル状態表示の第１変形例を説明する。図１２は、本実施形態における表示部２１に表示するセル状態表示の第１変形例を示す図である。
【０１２９】
第１変形例のセル状態表示１１０は、セル番号表示（Cell No.）１０１、状態表示１０２、ハンドオーバ表示１０３Ａ、基地局表示１０４、ハンドオーバ処理時間表示１０５、ログ位置マーカ１０６を有する。
【０１３０】
ハンドオーバ表示１０３Ａは、図９とは異なるハンドオーバマーカの他の表示例であり、ハンドオーバ元及びハンドオーバ先のセルを三角の表示によって示している。
【０１３１】
ハンドオーバ処理時間表示（Hand-over Time:）１０５は、ハンドオーバの開始時刻から終了時刻までの時間を表し、ハンドオーバに要する処理時間を示す情報表示である。
【０１３２】
ログ位置マーカ１０６は、セル状態表示と同一画面又は他の画面にログ表示を行う場合に、現在表示されているログ情報の位置（対応時刻）を示す情報表示である。
【０１３３】
このようにハンドオーバ処理時間表示１０５によって、ハンドオーバが発生した場合に、ハンドオーバの開始から終了までの処理にかかる時間を試験者が把握できる。
【０１３４】
＜セル状態表示の第２変形例＞
次に、本実施形態におけるセル状態表示の第２変形例を説明する。図１３は、本実施形態における表示部２１に表示するセル状態表示の第２変形例を示す図である。
【０１３５】
第２変形例のセル状態表示１２０は、各セルのアクティベーション／ディアクティベーション、及びハンドオーバ等の状態を示すセル状態表示１００と、ログ情報を示すログ表示８０とを、同一画面に並べて表示した例である。
【０１３６】
このようにセル状態表示１００とログ表示８０とを同時表示することにより、所定期間におけるセル状態の把握と、所定期間内の特定時刻のログ情報の確認とを、一画面にて実行でき、試験者がセル状態の把握を容易に行うことができる。
【０１３７】
（本実施形態における処理手順）
次に、前述した第１及び第２の実施形態における移動体通信端末試験装置の処理手順について説明する。以下の図１４〜図１６は、本実施形態の移動体通信端末試験装置１０、１０Ａにおけるシナリオ処理部１６、セル状態判定部１９、及び表示制御部２０を中心とした各部の処理手順を示すものである。
【０１３８】
図１４は、試験前の試験シナリオ確認に関する処理手順を示すフローチャートである。
【０１３９】
試験者によって操作部２２より試験シナリオの選択操作がなされると、シナリオ処理部１６は、選択指示された試験シナリオを選択し、実行準備状態とする（ステップＳＴ１）。
【０１４０】
次に、セル状態判定部１９は、シナリオ処理部１６にて選択された試験シナリオのシナリオ情報を解析し、試験シナリオから設定情報を取得してセル状態を判定する（ステップＳＴ２）。セル状態としては、各セルにおいて、アクティベーション／ディアクティベーションの状態、プライマリセル／セカンダリセルの状態、ハンドオーバの発生／終了の状態を判定する。
【０１４１】
そして、セル状態判定部１９は、各セル状態に仮の時刻を割り当てて、各セル状態の発生／終了の時刻とする（ステップＳＴ３）。
【０１４２】
次に、表示制御部２０は、セル状態の表示情報を生成して表示部２１に出力し、表示部２１の表示画面にセル状態表示を行う（ステップＳＴ４）。
【０１４３】
図１５は、試験中のセル状態のリアルタイム表示に関する処理手順を示すフローチャートである。
【０１４４】
シナリオ処理部１６は、試験シナリオに従って、移動体通信端末試験装置の各部を動作させ、選択された試験内容の試験を実行する（ステップＳＴ１１）。このとき、レイヤ処理部１３は、試験シナリオに従った設定通りの構成の処理部を形成し、移動体通信端末５０と通信を行うべく各レイヤの処理を行う。
【０１４５】
セル状態判定部１９は、実行対象の試験シナリオのシナリオ情報を解析し、試験シナリオの実行中の部分から設定情報を取得してセル状態を判定する（ステップＳＴ１２）。セル状態としては、各セルにおいて、アクティベーション／ディアクティベーションの状態、プライマリセル／セカンダリセルの状態、ハンドオーバの発生／終了の状態を判定する。この際、該当するセル状態に関する送信命令の実行時刻又は受信通知の受信時刻を、各セル状態の発生／終了の時刻とする。セル状態判定は、任意のタイミングにて随時行う。
【０１４６】
次に、表示制御部２０は、セル状態判定部１９にて判定されたセル状態の表示情報を生成して表示部２１に出力し、表示部２１の表示画面にセル状態表示を行う（ステップＳＴ１３）。セル状態表示は、セル状態判定の処理実行毎など、任意のタイミングにて随時行う。ここでは、ハンドオーバの状態表示については、試験者によるハンドオーバ表示の指示操作の一例である、ハンドオーバ発生点を示すハンドオーバマーカの指定操作に対応して、ハンドオーバ表示及びハンドオーバ処理時間表示を実行する例を示す。
【０１４７】
また、ログデータ生成部１７は、レイヤ処理部１３より各レイヤ間の通信データを取得し（ステップＳＴ１４）、各処理のログ情報を含むログデータを作成して、ログデータ記憶部１８に記憶する（ステップＳＴ１５）。レイヤ間の通信データ取得、並びにログデータの生成及び記憶は、任意のタイミングにて随時行う。
【０１４８】
次に、表示制御部２０は、試験者による操作部２２からのハンドオーバマーカの指定操作があったか否かを判断し（ステップＳＴ１６）、ハンドオーバマーカの指定があった場合（ステップＳＴ１６：Ｙｅｓ）、ハンドオーバ判定部１９２は、ログデータのログ情報からハンドオーバの開始時刻と終了時刻とを取得する（ステップＳＴ１７）。
【０１４９】
続いて、ハンドオーバ判定部１９２は、ハンドオーバの開始時刻と終了時刻との差を、ハンドオーバ処理時間として算出する（ステップＳＴ１８）。そして、表示制御部２０は、算出されたハンドオーバ処理時間の表示情報を生成して表示部２１に出力し、表示部２１の表示画面にハンドオーバ処理時間表示を行う（ステップＳＴ１９）。
【０１５０】
なお、ハンドオーバマーカの指定がない場合（ステップＳＴ１６：Ｎｏ）、表示制御部２０は、ハンドオーバマーカの指定があるまでステップＳＴ１６の判断を所定タイミングで繰り返すか、或いはステップＳＴ１２〜ＳＴ１５の処理に移行する。
【０１５１】
図１６は、試験後のログ情報の確認及びセル状態表示に関する処理手順を示すフローチャートである。
【０１５２】
表示制御部２０は、ログデータ記憶部１８より記憶したログデータを取得し、ログの表示情報を生成して表示部２１に出力し、表示部２１の表示画面にログ情報の表示を行う（ステップＳＴ２１）。
【０１５３】
また、セル状態判定部１９は、ログデータ記憶部１８よりログデータを取得し、ログデータのログ情報から設定情報を取得してセル状態を判定する（ステップＳＴ２２）。セル状態としては、各セルにおいて、アクティベーション／ディアクティベーションの状態、プライマリセル／セカンダリセルの状態、ハンドオーバの発生／終了の状態を判定する。この際、該当するセル状態に関するログの時刻情報を取得し、各セル状態の発生／終了の時刻とする。
【０１５４】
次に、表示制御部２０は、セル状態判定部１９にて判定されたセル状態の表示情報を生成して表示部２１に出力し、表示部２１の表示画面にセル状態表示を行う（ステップＳＴ２３）。セル状態表示は、ログ表示と切り替えて表示するか、或いはログ表示と同時表示する。ここでは、ハンドオーバの状態表示については、試験者によるハンドオーバ表示の指示操作の一例である、ハンドオーバ発生点を示すハンドオーバマーカの指定操作に対応して、ハンドオーバ表示及びハンドオーバ処理時間表示を実行する例を示す。また、ログ情報の表示については、試験者によるログ表示の指示操作の一例である、ログの表示時刻位置を示すログ位置マーカの指定操作に対応して、ログ表示を実行する例を示す。
【０１５５】
そして、表示制御部２０は、試験者による操作部２２からのログ位置マーカの指定操作があったか否かを判断する（ステップＳＴ２４）。ここで、ログ位置マーカの指定があった場合（ステップＳＴ２４：Ｙｅｓ）、ログ位置マーカの位置に対応する時刻のログの表示情報を生成して表示部２１に出力し、表示部２１の表示画面に該当時刻のログ表示を行う（ステップＳＴ２５）。一方、ログ位置マーカの指定がない場合（ステップＳＴ２４：Ｎｏ）、表示制御部２０は、ステップＳＴ２５をスキップして次のステップＳＴ２６の処理に進む。
【０１５６】
このログ位置マーカに対応するログ表示によって、試験者がログ位置マーカを移動させる操作指示を行うと、ログ位置マーカに連動してログ表示する時刻を移動可能であり、ログの表示位置を変更できる。
【０１５７】
次に、表示制御部２０は、試験者による操作部２２からのハンドオーバマーカの指定操作があったか否かを判断し（ステップＳＴ２６）、ハンドオーバマーカの指定があった場合（ステップＳＴ２６：Ｙｅｓ）、ハンドオーバ判定部１９２は、ログデータのログ情報からハンドオーバの開始時刻と終了時刻とを取得する（ステップＳＴ２７）。
【０１５８】
続いて、ハンドオーバ判定部１９２は、ハンドオーバの開始時刻と終了時刻との差を、ハンドオーバ処理時間として算出する（ステップＳＴ２８）。そして、表示制御部２０は、算出されたハンドオーバ処理時間の表示情報を生成して表示部２１に出力し、表示部２１の表示画面にハンドオーバ処理時間表示を行う（ステップＳＴ２９）。
【０１５９】
なお、ハンドオーバマーカの指定がない場合（ステップＳＴ２６：Ｎｏ）、表示制御部２０は、ステップＳＴ２４のログ位置マーカの有無の判断に戻るか、或いはステップＳＴ２２〜ＳＴ２３の処理に移行して他の期間のセル状態表示の処理等を実行する。
【０１６０】
以上説明した本発明に係る実施形態によれば、複数のセルを使用した通信の試験を行う場合に、各セルのアクティベーション／ディアクティベーションの状態、或いはハンドオーバの状態など、セルの状態をセル状態表示のグラフィック情報により試験者が容易に把握可能にすることができる。
【０１６１】
なお、上述した実施形態では、図１の移動体通信端末試験装置１０及び図８の移動体通信端末試験装置１０Ａは、一体の装置として示しているが、装置構成はこれに限定されない。例えば、パーソナルコンピュータ（ＰＣ）等のプロセッサ及びメモリを有する情報処理装置を用いて、表示及び動作制御と、通信信号処理とを、別体の装置にて実行する構成としてもよい。この場合、図１及び図８において、破線にて分割したシナリオ処理部１６、ログデータ記憶部１８、セル状態判定部１９、表示制御部２０、表示部２１、及び操作部２２は、ＰＣを用いて実現できる。
【０１６２】
なお、上述した実施形態では、ＬＴＥ−Ａｄｖａｎｃｅｄの通信規格による通信が可能な移動体通信端末の移動体通信端末試験装置について説明したが、これに限定されない。試験シナリオに従って試験を実行し、移動体通信端末との間で通信を行ってログ情報を取得し、試験シナリオ又はログ情報の解析によってセルの状態を判断可能であれば、各種通信方式の通信システムであっても適用可能である。
【０１６３】
なお、本発明は、装置としての移動体通信端末試験装置、又は移動体通信端末試験装置をコンピュータとして動作させるためのプログラムとして表現することも可能である。更に、本発明は、移動体通信端末試験装置により実行される各動作（ステップ）を含む移動体通信端末試験方法として表現することも可能である。即ち、本発明は、装置、方法及びプログラムのうちいずれのカテゴリーにおいても表現可能である。
【０１６４】
以上、図面を参照しながら各種の実施形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、開示の趣旨を逸脱しない範囲において、上記実施形態における各構成要素を任意に組み合わせてもよい。
【符号の説明】
【０１６５】
１０、１０Ａ  移動体通信端末試験装置
１２−１〜１２−５  送受信部
１３、１３Ａ、１３Ｂ  レイヤ処理部
１５、１５Ａ、１５Ｂ  メッセージ処理部
１６  シナリオ処理部
１７  ログデータ生成部
１７１  時刻生成部
１７２  ＩＤ生成部
１８  ログデータ記憶部
１９  セル状態判定部
１９１−１〜１９１−５  セル判定部
１９２  ハンドオーバ判定部
２０  表示制御部
２０１  ログ表示処理部
２０２  セル状態表示処理部
２１  表示部
２２  操作部
５０  移動体通信端末
６０  ログデータ
８０  ログ表示
９０、１００、１１０、１２０  セル状態表示
９１、１０１  セル番号表示
９２、１０２  状態表示
１０３、１０３Ａ  ハンドオーバ表示
１０４  基地局表示
１０５  ハンドオーバ処理時間表示
１０６  ログ位置マーカ
【図１】
2014216727.tif 000003
【図２】
2014216727.tif 000004
【図３】
2014216727.tif 000005
【図４】
2014216727.tif 000006
【図５】
2014216727.tif 000007
【図６】
2014216727.tif 000008
【図７】
2014216727.tif 000009
【図８】
2014216727.tif 000010
【図９】
2014216727.tif 000011
【図１０】
2014216727.tif 000012
【図１１】
2014216727.tif 000013
【図１２】
2014216727.tif 000014
【図１３】
2014216727.tif 000015
【図１４】
2014216727.tif 000016
【図１５】
2014216727.tif 000017
【図１６】
2014216727.tif 000018